(57)【特許請求の範囲】
【請求項１】
流路接続の為の一対の接続口が正面側に並列していると共に前記接続口は回動式の被覆板によって開放可能に閉塞される流体コンセントに取外し可能に装着されて、前記接続口を保護する流体コンセント用保護キャップにおいて、
前記被覆板の閉塞状態における内面であって、前記接続口に対応する各位置に、水密性を有するシール部を介して前記接続口の各々に装着可能な一対のキャップ部を並列状態に突出させ、
前記キャップ部は、その基端部が、前記被覆板の内面に、首振り可能に取り付けられていると共に、
前記被覆板を閉塞させたとき、前記キャップ部が前記接続口の各々に水密状態に装着するように設定されていることを特徴とする流体コンセント用保護キャップ。
【請求項２】
請求項１に記載の流体コンセント用保護キャップにおいて、前記キャップ部を前記接続口に水密状態に装着させた装着状態を維持するためのロック機構を前記被覆板の内面側に設けた流体コンセント用保護キャップ。
【請求項３】
請求項１に記載の流体コンセント用保護キャップにおいて、前記キャップ部を前記接続口に水密状態に装着させた装着状態を維持するためのロック機構を前記被覆板の外面側に設けた流体コンセント用保護キャップ。
【発明の詳細な説明】
【０００１】
【発明の属する技術分野】
この発明は、流体コンセント用保護キャップ、特に、不使用状態にある流体コンセントの接続口を保護する為の流体コンセント用保護キャップに関するものである。
【０００２】
【従来の技術】
図４及び図５に示した流体コンセント（１）は、屋外の加熱機と屋内の放熱機（共に図示せず）との間の流体循環路を途中で着脱自在に接続する為のものであり、屋内の床面（Ｆ）に設置される形式のものである。
【０００３】
この種流体コンセント（１）は、図５に示すように、前記加熱機から延びる一対の屋外配管（１６）の先端に設けられるコンセント本体（１０）が、前記床面（Ｆ）に設けられた開口部（Ｆ０）に嵌め込まれて固定されるケース体（１７）内に収容されており、前記コンセント本体（１０）には、同図及び図４に示すように、流体循環路接続の為の一対の接続口（１１）（１２）が上方に開放するように並設されている。
【０００４】
又、前記ケース体（１７）の上方開放部は、前記接続口（１１）（１２）を含む所定範囲に対応する位置に開口（１４）が形成された第１化粧板（１８）によって被覆されていると共に、前記第１化粧板（１８）の上面を覆うように、第２化粧板（１９）が設けられている。前記第２化粧板（１９）には、前記開口（１４）を含む前記第１化粧板の露出範囲を開放可能に閉塞する、被覆板（２）が回動自在に取り付けられている。
【０００５】
この流体コンセント（１）を使用するには、図４に示すように、被覆板（２）を開放させ、第１化粧板（１８）の開口（１４）に、放熱機から延びる室内側流体ホース（図示せず）の先端に設けられた流体プラグのプラグ部（図示せず）を差し込んで接続させる。これにより、前記接続口（１１）（１２）に内蔵されている弁体（１１０）（１２０）及び前記プラグ部に内蔵されている弁体が各々開弁し、流体循環路が接続される。
【０００６】
尚、このコンセント本体（１０）における前記接続口（１１）と接続口（１２）との間には、前記流体プラグに設けられる係合片を抜け止め状態に係合させるための孔部（１３）が上方に開放するように形成されている。
【０００７】
そして、流体コンセント（１）の不使用時には、前記プラグ部を流体コンセント（１）から引き抜いて取り外す。これにより、前記弁体（１１０）（１２０）は閉弁し、接続口（１１）（１２）から流体が漏れることがないが、接続口（１１）（１２）からの不用意な漏れ防止と接続口（１１）（１２）の保護の為に、接続口（１１）（１２）の開放端を含むコンセント本体（１０）の上端部分に、保護キャップ（４）が装着される。
【０００８】
従来のこの種保護キャップ（４）は、接続口（１１）（１２）各々に取外し可能に嵌入する一対のキャップ部（４１）（４２）と、これらキャップ部（４１）（４２）を並列するように突出させてなる板状の連結部材（４０）と、この連結部材（４０）のキャップ部（４１）（４２）間に一体的に並設され且つ連結部材（４０）からキャップ部（４１）（４２）の突出方向と同一方向に突出する一対の係合片（４３）（４４）と、前記係合片（４３）（４４）間に一端が装着され且つ板バネ（図示せず）を介して前記係合片（４３）（４４）を近接する方向に揺動させる機能を有するボールチェーン（５）とから構成されている。
【０００９】
前記キャップ部（４１）（４２）は筒状であり、その胴部外周面には、接続口（１１）（１２）に嵌合させたときに接続口（１１）（１２）との間の水密を確保する為にＯリング（４５）が装着されている。
【００１０】
上記した保護キャップ（４）は、前記流体コンセント（１）を使用する際には不必要であるから、前記被覆板（２）の裏側に設けられた環状保持部（１５）内に、前記キャップ部（４１）（４２）を嵌め込んで仮止めしておく。こうしておくことにより、不使用時における保護キャップ（４）を、邪魔にならずに保管しておくことができる。
【００１１】
前記流体コンセント（１）に保護キャップ（４）を装着させるには、前記キャップ部（４１）（４２）を環状保持部（１５）から取り外した後に、コンセント本体（１０）の接続口（１１）（１２）に嵌入させると共に、係合片（４３）（４４）を孔部（１３）の対向側壁に係合させる。これにより、保護キャップ（４）は不使用状態の流体コンセント（１）に装着され、接続口（１１）（１２）は前記Ｏリング（４５）によって水密状態及び気密状態に保護されることとなる。その後、被覆板（２）で第１化粧板（１８）の開口（１４）を閉塞させておけば良い。
【００１２】
【発明が解決しようとする課題】
上記したように、従来の保護キャップ（４）は、ボールチェーン（５）に連結された構成となっており、保護キャップ（４）に対してボールチェーン（５）を引っ張ることにより、係合片（４３）（４４）は近接する方向に揺動する構成となっている。よって、コンセント本体（１０）に装着状態にある保護キャップ（４）を取り外す際には、前記ボールチェーン（５）を引っ張れば、係合片（４３）（４４）を近接する方向に揺動させて孔部（１３）との係合を解除させると共に、キャップ部（４１）（４２）を接続口（１１）（１２）から引き抜くことができる。又、保護キャップ（４）の不使用時において、被覆板（２）の環状保持部（１５）への保護キャップ（４）の仮止めが行われなかったり、又は不用意に外れてしまったりした場合にも、保護キャップ（４）が紛失することがない。
【００１３】
しかしながら、ボールチェーン（５）に引っ張り方向の力を加えることによって前記係合片（４３）（４４）を近接方向に揺動させる機能を具備させるために、ボールチェーン（５）の一端を連結部材（４０）の中心に板バネを介して取付ける必要があり、この取付け作業に手間がかかる。又、保護キャップ（４）の不使用時には、ボールチェーン（５）は被覆板（２）と共に床面（Ｆ）に載置される態様となるから、不用意に引っ掛けてしまうおそれがある上に、保護キャップ（４）のキャップ部（４１）（４２）を流体コンセント（１）の接続口（１１）（１２）に挿入させる際に、ボールチェーン（５）が先に接続口（１１）（１２）に入り込んでしまい、キャップ部（４１）（４２）の挿入の邪魔になるといった不都合もある。
【００１４】
さらに、従来の流体コンセント（１）では、流体コンセント（１）の不使用時に、保護キャップ（４）を装着し忘れたり、又は、装着状態が不完全であったりする場合でも、このことに気づかずに、被覆板（２）を閉塞させてしまうことがある。一旦閉塞させた被覆板（２）は、通常、放熱機の次の使用時期まで開放させることはないから、この状態のまま長期間放置されることとなる。よって、万一接続口（１１）（１２）から漏れが生じた場合、コンセント本体（１０）内に水滴を侵入させてしまい、電気回路の接続端子が損傷されてしまうといった問題がある。
【００１５】
本発明は、『流路接続の為の一対の接続口が正面側に並列していると共に前記接続口は回動式の被覆板によって開放可能に閉塞される流体コンセントに取外し可能に装着されて、前記接続口を保護する流体コンセント用保護キャップ』において、ボールチェーンを設けることなく保護キャップの流体コンセントへの装着及び取外しを可能にすると共に、紛失の心配もなく、さらには、被覆板を閉塞させたときに保護キャップが確実に流体コンセントの接続口に装着させた状態を維持できるようにすることを課題とする。
＜１項＞
【００１６】
【課題を解決するための手段】
前述した課題を解決するために講じた発明の解決手段は、『前記被覆板の閉塞状態における内面であって、前記接続口に対応する各位置に、水密性を有するシール部を介して前記接続口の各々に装着可能な一対のキャップ部を並列状態に突出させ、
前記キャップ部は、その基端部が、前記被覆板の内面に、首振り可能に取り付けられていると共に、
前記被覆板を閉塞させたとき、前記キャップ部が前記接続口の各々に水密状態に装着するように設定されている』ことである。
【００１７】
被覆板を閉塞させた状態において、流体コンセントの接続口に対応する被覆板の内面に、キャップ部を突出させる構成としたから、流体コンセントの不使用時に、前記被覆板を閉塞方向に回動させるだけで、前記キャップ部を流体コンセントの接続口の各々に自動的に嵌入させることができ、被覆板の閉塞完了状態においては、前記接続口はキャップ部によって水密状態に確実に保護されることとなる。又、流体コンセントを使用する際に、被覆板を開放方向に回動させると、前記接続口から、キャップ部が自動的に引き抜かれ、引き抜かれたキャップ部は、被覆板の前記内面に具備させられた状態を維持することとなる。
【００１８】
尚、前記キャップ部は、その基端部が、前記被覆板の内面に、首振り可能に取り付けられているものであるから、被覆板の内面に対する前記キャップ部の向き（姿勢）は調整可能である。特に、回動式の被覆板が設けられた床面設置式の流体コンセントの場合、被覆板を閉塞方向に回動させると、被覆板の内面に設けられたキャップ部は、垂直に突出し且つ上方に開放している前記流体コンセントの接続口に対して、斜め上方から装着される態様となるが、前記キャップ部の向きを調整することにより、前記キャップ部の突出端面を前記流体コンセント内の接続口の上方開放部に対応させ易いものとなる。
【００１９】
＜２項＞
上記１項に詳述した発明において、『前記キャップ部を前記接続口に水密状態に装着させた装着状態を維持するためのロック機構を前記被覆板の内面側に設ける』構成とするものでは、例えば、従来の保護キャップにおいて、一対のキャップ部の間に設けられていた係合片等が採用可能である。この場合、被覆板を閉塞させた状態にて、キャップ部は接続口にシール状態に装着されると同時に、前記係合片が流体コンセントの前記孔部に係合することとなって、キャップ部の前記接続口への装着状態が抜け止め状態に保持されることとなる。
【００２０】
又、『前記キャップ部を前記接続口に水密状態に装着させた装着状態を維持するためのロック機構を前記被覆板の外面側に設ける』構成とするものでは、例えば、被覆板を閉塞状態に保持するためのロック機構が採用可能である。
上記ロック機構は被覆板の外面側から解除自在であり、ロック機構を解除させることにより、キャップ部は接続口から取り外すことができる。
【００２１】
【発明の効果】
以上説明したように、請求項１の発明では、保護キャップのキャップ部は被覆板に直接具備されていると共に、被覆板を開閉させることによって、キャップ部は流体コンセントの接続口に対して装着自在になる構成としたから、従来のボールチェーンを設ける必要がなく、その分、保護キャップの構造が簡略化され、取付け作業が容易になる上に安価に提供することができる。又、被覆板を閉塞させたときに保護キャップが確実に流体コンセントの接続口に自動的に装着できることから、保護キャップの装着忘れを防止することができ、不使用時における流体コンセントを確実に保護することができる。
【００２２】
さらに、キャップ部の基端部を前記被覆板の内面に首振り可能に取り付けることにより、被覆板の内面に対する前記キャップ部の向き（姿勢）を調整可能に設定してあるから、流体コンセントの接続口に対して、前記キャップ部の突出端面が、前記流体コンセント内の接続口の開放端部に対向するように、キャップ部の姿勢を調節させた状態で装着することができる。よって、接続口へのキャップ部の装着を一層確実に行うことができる。
【００２３】
又、キャップ部を流体コンセントの接続口に装着した状態を維持させるロック機構を設けることにより、流体コンセントの不使用時において、被覆板に開放方向の力がかかったり、又、接続口の内部から水圧がかかったりしても、前記キャップ部が外れることがない。よって、接続口はキャップ部によって確実に保護された状態を維持することができる。
【００２４】
【発明の実施の形態】
以下、本願発明の実施の形態を、図面に基づいて説明する。
図１は、本願発明の実施の形態における流体コンセント（１）の、被覆板（２）を開放させた状態を示す正面図であり、図２はその断面図、図３は被覆板（２）を閉塞させた状態を示す断面図である。尚、図２、図３においては、キャップ部と接続口との関係、及び、ロック機構（２０）の構成も同時に表すようにしたために、変則的な断面図となっている。
【００２５】
この実施の形態の流体コンセント（１）は、流体暖房装置（図示せず）に備えられると共に室内床面（Ｆ）に取り付けられるものであり、屋外に設置されて流体を加熱する加熱機（図示せず）から延びる流体経路の先端部に設けられるものである。
【００２６】
上記流体コンセント（１）は、従来のものと同様に、床面（Ｆ）に配設されている第１化粧板（１８）に設けた小判型の開口（１４）からコンセント本体（１０）の流路接続口（１１）（１２）が並列状態に露出する態様となっており、これら接続口（１１）（１２）の内方端には、これら接続口（１１）（１２）を開閉する為の弁体（１１０）（１２０）が各々内蔵されている。
【００２７】
尚、第１化粧板（１８）の上面には、前記開口（１４）を含む中央の所定範囲を除いた周辺部分を被覆する枠状の第２化粧板（１９）が設けられており、前記第２化粧板（１９）の一辺に、被覆板（２）が回動自在に取付けられている。そして、前記第２化粧板（１９）の前記一辺に対向する位置にある他辺側には、前記被覆板（２）の閉塞状態を保持するスライド式のロック機構（２０）が具備されている。このロック機構（２０）に設けられた係合突起（２３）が前記被覆板（２）の自由辺の中央に設けた係合孔（２３ａ）とワンウェイ係合することにより、被覆板（２）は閉塞状態に維持されることとなる。この閉塞状態から、前記ロック機構（２０）を、外方（図１では上方、図２、図３では右方）に、スライドさせることにより、前記係合突起（２３）の係合孔（２３ａ）への係合が解除され、被覆板（２）は開放されるように設定されている。
【００２８】
又、被覆板（２）を閉塞させたときに前記開口（１４）に対応する前記被覆板（２）の所定範囲は、前記開口（１４）内に挿入可能な小判型の凸部（２４）が被覆板（２）の内方へ突出するように形成されており、凸部（２４）の内側突出頂面における、前記接続口（１１）（１２）に対向する各位置には、それぞれ接続口（１１）（１２）に向かって開放する筒状のキャップ部（２１）（２２）が、前記頂面に対して首振り自在に取付けられている。又、キャップ部（２１）（２２）の胴部外周には、シール性を確保するためのＯリング（２５）が装着されている。
【００２９】
流体暖房装置の不使用時には、接続口（１１）（１２）から室内側配管の先端に装着されているプラグ（図示せず）が取り外される。これによって、接続口（１１）（１２）の弁体（１１０）（１２０）の各々は閉弁状態となる。そして、その後、前記被覆板（２）を、図２の二点鎖線に示すように、閉塞方向に回動させ、第１化粧板（１８）が露出している第２化粧板（１９）の開放部を被覆すると同時に、前記ロック機構（２０）の係合突起（２３）を被覆板（２）の係合孔（２３ａ）にワンウェイ係合させる。これにより、被覆板（２）は閉塞状態のまま維持されると共に、この状態において  被覆板（２）の内面に具備させている前記キャップ部（２１）（２２）が、図３に示すように、流体コンセント（１）の接続口（１１）（１２）に水密状態に嵌入するように、凸部（２４）の突出高さ、キャップ部（２１）（２２）の高さ、及び第１化粧板（１８）の開口（１４）の開放端から接続口（１１）（１２）までの深さ等が所定の寸法に設定されているものとする。
【００３０】
尚、被覆板（２）はその一辺を回動支点として回動させられていることから、被覆板（２）に具備させているキャップ部（２１）（２２）は、接続口（１１）（１２）に対して斜め上方から嵌め込まれることとなるが、前記キャップ部（２１）（２２）は、共に被覆板（２）の凸部（２４）の内側頂面に首振り状態に取り付けられているものであるから、被覆板（２）の回動途中においては、図２の二点鎖線に示すように、前記キャップ部（２１）（２２）は、それら各々の自重によって、その開放端面は接続口（１１）（１２）の開放端面側を向く姿勢に揺動することとなる。すなわち、被覆板（２）が閉塞方向へ回動させられていくにつれて、キャップ部（２１）（２２）の開放端面は、接続口（１１）（１２）の開放端面に対向する姿勢に近付くように、キャップ部（２１）（２２）の姿勢が調整されていく。これにより、キャップ部（２１）（２２）は、接続口（１１）（１２）にちょうど対向する姿勢で嵌入させることができるから、キャップ部（２１）（２２）を接続口（１１）（１２）内に確実に水密状態に嵌入させることができる。
【００３１】
又、キャップ部（２１）（２２）の開放端面を接続口（１１）（１２）に対応させ易くするために、被覆板（２）の回動支点を多少ルーズに設定しておくことも考えられる。
これが、接続口（１１）（１２）に保護キャップを装着させた状態であり、この装着状態は、被覆板（２）が意図的に開放させられない限り、維持されることとなる。
【００３２】
そして、流体コンセント（１）を使用する際には、ロック機構（２０）を外側へ向かってスライドさせて、前記係合を解除させ、被覆板（２）を開放方向に回動させれば良い。被覆板（２）を開放方向に回動させることにより、キャップ部（２１）（２２）は接続口（１１）（１２）から自動的に抜き取られることとなり、その後、接続口（１１）（１２）にプラグ部を差し込めば良い。
【００３３】
このように、本発明のものでは、被覆板（２）に保護キャップを具備させる構成としたから、従来のボールチェーンを用いる必要がなく、構造を簡略化することができる。又、被覆板（２）を開閉させるだけで、温水コンセントの接続口（１１）（１２）に、保護キャップを脱着することができるので、保護キャップの脱着が容易に且つ確実に行うことができることとなる。
【図面の簡単な説明】
【図１】本願発明の実施の形態における流体コンセント用保護キャップの不使用状態を示す正面図。
【図２】本願発明の実施の形態における流体コンセント用保護キャップの不使用状態を示す断面図。
【図３】本願発明の実施の形態における流体コンセント用保護キャップの使用状態を示す断面図。
【図４】従来の流体コンセントの正面図であって、被覆板を開放させた状態を示す。
【図５】従来の流体コンセント用保護キャップの使用状態を示す断面図。
【符号の説明】
（１）  ・・・・・流体コンセント
（１１）（１２）・・・接続口
（２）  ・・・・・被覆板
（２１）（２２）・・・キャップ部
（２５）・・・・・Ｏリング（シール部）
【図１】
0003581679.tif 000002
【図２】
0003581679.tif 000003
【図３】
0003581679.tif 000004
【図４】
0003581679.tif 000005
【図５】
0003581679.tif 000006